(57)【特許請求の範囲】
【請求項１】
機体の後部に設けた支枠に左右方向へ散布管を取り付け、該散布管の途中にジョイント部を設けるとともに、このジョイント部にプッシュプル型アクチュエータを連結し、該プッシュプル型アクチュエータの作動により前記散布管を機体に沿って前方へ折り曲げて収納可能にした粉粒剤散布機であって、前記散布管が収納状態にあるときに、該散布管の機体乗降口後部近傍位置に第１のステーを固設するとともに、該散布管の機体乗降口前部近傍位置に第２のステーを固設し、第１のステーと前記支枠の上部との間に支持用のワイヤを張設し、更に、第１のステーと第２のステーとの間に散布管と平行に補強パイプを架設した粉粒剤散布機に於いて、
上記粉粒剤散布機は上記第２のステーを上記散布管に沿い移動調整自在となし、更に、該散布管の延長部である前方位置に第３のステーを固設し、前記第２のステーの最上部と該第３のステーとの間にサブワイヤを張設して上記散布管の前方部位を支持する構成としたことを特徴とする粉粒剤散布機。
【発明の詳細な説明】
【０００１】
【発明の属する技術分野】
本発明は粉粒剤散布機に関するものであり、特に、散布管の途中にジョイント部を設けて前方へ折り曲げ自在にした粉粒剤散布機に関するものである。
【０００２】
【従来の技術】
従来の此種粉粒剤散布機は、トラクタや乗用管理機等の機体の後部に左右方向へ散布管を取り付け、ホッパに貯留している粉粒剤をファンで発生した風力により左右の散布管から圃場へ散布するように形成されている。
【０００３】
左右の散布管の途中には機体の略全幅位置にジョイント部を設けるとともに、このジョイント部にプッシュプル型アクチュエータを連結し、該プッシュプル型アクチュエータの作動により前記散布管を機体に沿って前方へ折り曲げ自在にしてある。
【０００４】
また、左右の散布管の途中に支持用のワイヤを繋着して支枠の上部へ係止し、該ワイヤにて散布管の垂れ下がりを防止している。
【０００５】
【発明が解決しようとする課題】
従来の粉粒剤散布機は、プッシュプル型アクチュエータの作動により散布管を途中から折り曲げて収納できるようにしてあるが、機体の側方に散布管が略水平状態に存在することになり、オペレータが乗降する際はこの散布管を跨ぐ必要がある。特に、散布管を支持しているワイヤが斜めに張設されているため、オペレータの乗降の際に該ワイヤがオペレータに引掛かることがあり危険であった。
【０００６】
そこで、散布管を機体の側方へ折り曲げて収納した状態のときに、ワイヤへの接触の危険を回避してオペレータの乗降を容易にするために解決すべき技術的課題が生じてくるのであり、本発明はこの課題を解決することを目的とする。
【０００７】
【課題を解決するための手段】
本発明は上記目的を達成するために提案されたものであり、機体の後部に設けた支枠に左右方向へ散布管を取り付け、該散布管の途中にジョイント部を設けるとともに、このジョイント部にプッシュプル型アクチュエータを連結し、該プッシュプル型アクチュエータの作動により前記散布管を機体に沿って前方へ折り曲げて収納可能にした粉粒剤散布機であって、前記散布管が収納状態にあるときに、該散布管の機体乗降口後部近傍位置に第１のステーを固設するとともに、該散布管の機体乗降口前部近傍位置に第２のステーを固設し、第１のステーと前記支枠の上部との間に支持用のワイヤを張設し、更に、第１のステーと第２のステーとの間に散布管と平行に補強パイプを架設した粉粒剤散布機に於いて、
上記粉粒剤散布機は上記第２のステーを上記散布管に沿い移動調整自在となし、更に、該散布管の延長部である前方位置に第３のステーを固設し、前記第２のステーの最上部と該第３のステーとの間にサブワイヤを張設して上記散布管の前方部位を支持する構成とした粉粒剤散布機を提供するものである。
【０００８】
【発明の実施の形態】
以下、本発明の実施の形態を図面に従って詳述する。図１及び図２は粉粒剤散布機１１を示したものであり、機体１２にホッパ１３を搭載し、該ホッパ１３の出口にロール１４を介装して吐粉管１５，１５の一端を接続する。また、機体１２の後部に支枠１６を設け、該支枠１６に散布管１７の中央部を支持させる。
【０００９】
一方、前記ホッパ１３と支枠１６との間にファン１８が設けられ、伝動装置１９を介してＰＴＯからファン１８へ動力が伝達される。そして、該ファン１８に送風管２０の一端を接続し、送風管２０の他端を前記散布管１７の中央部前面に連結する。また、該ファン１８には補助送風管２１を接続してあり、補助送風管２１の他端は前記ロール１４の下部に連結される。該ファン１８で生成した風の大半は送風管２０から散布管１７の中央部へ送られ、残りの風は補助送風管２１へ送られる。
【００１０】
前記散布管１７は機体１２の全幅から左右へ突出しており、支枠１６の外側部位で且つ機体１２の略全幅寸法に相当する位置に夫々ジョイント部２２，２２を設けてある。該ジョイント部２２は蛇腹状に形成された可撓性の管体２３と、該管体２３を支持する水平方向に回動自在な第１のアーム２４，２４、並びに垂直方向に回動自在な第２のアーム２５，２５とによって構成されている。
【００１１】
そして、夫々のジョイント部２２にプッシュプル型アクチュエータ２６を連結し、該プッシュプル型アクチュエータ２６の作動により前記散布管１７がジョイント部２２から前方へ折り曲げられ、機体１２に沿って収納される。
【００１２】
図３は前記散布管１７が収納された状態を示し、機体１２の乗降口２７の側方に略水平状態に散布管１７が存在している。ここで、該散布管１７の乗降口２７後部近傍位置に第１のステー２８を固設するとともに、該散布管１７の乗降口２７近傍位置に第２のステー２９を固設する。
【００１３】
また、第１のステー２８と前記支枠１６の上部との間に支持用のワイヤ３０を張設し、該ワイヤ３０により散布管１７を支持して垂れ下がりを防止する。更に、第１のステー２８と第２のステー２９との間に散布管１７と平行に補強パイプを架設する。
【００１４】
而して、第１のステー２８に繋着したワイヤ３０は、前記支枠１６の上部両側に固設したガイド環３２へ挿通され、更に、フレーム３３の下部両側に固設したガイド環３４を経由して、運転席３５の近傍に設けた手動レバー３６に連結される。
【００１５】
ここで、前記第１のステー２８は乗降口２７の後部近傍に取り付けられており、ワイヤ３０の支持位置が支枠１６に接近しているが、補強パイプ３１を設けたことによって散布管１７の強度が増加し、該散布管１７の下方への撓みを防止できる。
【００１６】
また、機体１２の乗降口２７にはワイヤ３０が張設されていないため、オペレータの乗降に際してワイヤ３０が邪魔になることがなく、ステップ３７から散布管１７を跨いで乗降することができる。
【００１７】
尚、前記第２のステー２９の取付位置は散布管１７に沿って移動調整することができ、機体１２の形式や散布管１７の長さの違い等によって任意の位置へ変更可能である。
【００１８】
図４は散布管１７が延長されている場合を示し、該散布管１７の前方位置に第３のステー３８を固設し、前記第２のステー２９の最上部とこの第３のステー３８との間にサブワイヤ３９を張設する。該サブワイヤ３９により散布管１７の前方部位が支持され、下方への垂れ下がりを防止できる。
【００１９】
このように、散布管１７を上記ワイヤ３０と補強パイプ３１並びにサブワイヤ３９にて支持しているため、各点の支持荷重が分散されて小さな支持強度で散布管１７を支承できるとともに、前記ジョイント部２２を折り曲げて散布管１７の開閉操作を行うに際しても、開閉動作に支障を来たすことがない。
【００２０】
尚、本発明は、本発明の精神を逸脱しない限り種々の改変を為すことができ、そして、本発明が該改変されたものに及ぶことは当然である。
【００２１】
【発明の効果】
以上説明したように、本発明は散布管を支持するワイヤの繋着位置を機体乗降口後部近傍位置に設けたことにより、オペレータが乗降する際にワイヤが邪魔になることがない。また、前記ワイヤの繋着位置と機体乗降口前部近傍位置にある第２ステーとの間に補強パイプを架設してあるので、ワイヤの支持部位より前方での散布管の撓みを防止できるのみならず、散布管の延長部である前方位置に第３のステーを固設し、前記第２のステーの最上部と該第３のステーとの間にサブワイヤを張設して上記散布管の前方部位を支持する構成としたので、該サブワイヤにより散布管の前方部位が支持され、下方への垂れ下がりを防止できる。
【００２２】
本発明は、散布管を上記ワイヤと補強パイプ並びにサブワイヤにて支持しているため、各点の支持荷重が分散されて小さな支持強度で散布管を支承できるとともに、前記ジョイント部を折り曲げて散布管の開閉操作を行うに際しても、開閉動作に支障を来たすことがない。
斯くして、散布管を機体の側方へ収納した状態でのオペレータの乗降を容易にするとともに、ワイヤの接触の危険を回避して安全性の向上にも寄与できる。
【図面の簡単な説明】
【図１】本発明の実施の形態を示し、散布管拡開状態の粉粒剤散布機の側面図。
【図２】散布管拡開状態の粉粒剤散布機の背面図。
【図３】散布管収納状態の粉粒剤散布機の側面図。
【図４】散布管が延長された場合に於ける散布管収納状態の粉粒剤散布機の側面図。
【符号の説明】
１１          粉粒剤散布機
１２          機体
１６          支枠
１７          散布管
２２          ジョイント部
２６          プッシュプル型アクチュエータ
２７          乗降口
２８          第１のステー
２９          第２のステー
３０          ワイヤ
３１          補強パイプ
【図１】
0003648793.tif 000002
【図２】
0003648793.tif 000003
【図３】
0003648793.tif 000004
【図４】
0003648793.tif 000005